(57)【特許請求の範囲】
【請求項１】
第１のデータと第２のデータとを多重する無線通信装置であって、
前記第１のデータの変調シンボルを第１の同相成分および第１の直交成分に分離するとともに、前記第２のデータの変調シンボルを第２の同相成分および第２の直交成分に分離する分離手段と、
前記第１の同相成分を第３の直交成分に変換するとともに、前記第２の直交成分を第４の同相成分に変換する変換手段と、
前記第１の直交成分および前記第３の直交成分に対してマルチコード多重を施して第１の多重信号を得るとともに、前記第２の同相成分および前記第４の同相成分に対してマルチコード多重を施して第２の多重信号を得る多重手段と、
前記第１の多重信号および前記第２の多重信号を互いに合成して合成信号を得る合成手段と、
を有する無線通信装置。
【請求項２】
前記多重手段は、
前記第１の直交成分および前記第３の直交成分を周波数軸方向および時間軸方向のうち前記合成信号の直交成分に対して個別に設定された方向に拡散するとともに、前記第２の同相成分および前記第４の同相成分を周波数軸方向および時間軸方向のうち前記合成信号の同相成分に対して個別に設定された方向に拡散する、
請求項１記載の無線通信装置。
【請求項３】
前記第１のデータおよび前記第２のデータの双方のデータ量に基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項４】
前記第１のデータおよび前記第２のデータの双方の変調方式に基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項５】
前記第１のデータおよび前記第２のデータの双方の符号化率に基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項６】
前記第１のデータおよび前記第２のデータの双方の拡散率に基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項７】
前記第１のデータの送信先および前記第２のデータの送信先の双方の遅延スプレッドに基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項８】
前記第１のデータの送信先および前記第２のデータの送信先の双方のドップラー周波数に基づいて推定される、前記第１のデータおよび前記第２のデータの双方の受信品質に従って、前記合成信号の直交成分の拡散方向および前記合成信号の同相成分の拡散方向を決定する決定手段をさらに有し、
前記多重手段は、
前記第１の直交成分および前記第３の直交成分を、前記合成信号の直交成分の拡散方向に拡散し、前記第２の同相成分および前記第４の同相成分を、前記合成信号の同相成分の拡散方向に拡散する、
請求項１記載の無線通信装置。
【請求項９】
前記第１のデータおよび前記第２のデータの双方のデータ量に基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１０】
前記第１のデータおよび前記第２のデータの双方の変調方式に基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１１】
前記第１のデータおよび前記第２のデータの双方の符号化率に基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１２】
前記第１のデータおよび前記第２のデータの双方の拡散率に基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１３】
前記第１のデータの送信先および前記第２のデータの送信先の双方の遅延スプレッドに基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１４】
前記第１のデータの送信先および前記第２のデータの送信先の双方のドップラー周波数に基づいて推定される、前記第１のデータおよび前記第２のデータの双方の受信品質に従って、前記合成信号の直交成分のコード多重数および前記合成信号の同相成分のコード多重数を決定する決定手段をさらに有し、
前記多重手段は、
決定されたコード多重数に従って、前記第１の直交成分および前記第３の直交成分に対してマルチコード多重を施すとともに前記第２の同相成分および前記第４の同相成分に対してマルチコード多重を施す、
請求項１記載の無線通信装置。
【請求項１５】
多重された同相成分から成る多重信号と多重された直交成分から成る多重信号とを含む信号を受信する受信手段と、
多重された同相成分から成る多重信号を受信信号から抽出する抽出手段と、
前記多重信号を、複数の拡散コードで逆拡散する逆拡散手段と、
逆拡散された多重信号を構成する同相成分のうち、直交成分の変換によって得られていた第１の同相成分を前記直交成分に変換する変換手段と、
前記直交成分と、前記多重信号を構成する同相成分のうち前記第１の同相成分と異なる第２の同相成分と、を合成する合成手段と、
を有する無線通信装置。
【請求項１６】
多重された同相成分から成る多重信号と多重された直交成分から成る多重信号とを含む信号を受信する受信手段と、
多重された直交成分から成る多重信号を受信信号から抽出する抽出手段と、
前記多重信号を、複数の拡散コードで逆拡散する逆拡散手段と、
逆拡散された多重信号を構成する直交成分のうち、同相成分の変換によって得られていた第１の直交成分を前記同相成分に変換する変換手段と、
前記同相成分と、前記多重信号を構成する直交成分のうち前記第１の直交成分と異なる第２の直交成分と、を合成する合成手段と、
を有する無線通信装置。
【請求項１７】
第１のデータと第２のデータとを多重するデータ多重方法であって、
前記第１のデータの変調シンボルを第１の同相成分および第１の直交成分に分離するとともに、前記第２のデータの変調シンボルを第２の同相成分および第２の直交成分に分離する分離ステップと、
前記第１の同相成分を第３の直交成分に変換するとともに、前記第２の直交成分を第４の同相成分に変換する変換ステップと、
前記第１の直交成分および前記第３の直交成分に対してマルチコード多重を施して第１の多重信号を得るとともに、前記第２の同相成分および前記第４の同相成分に対してマルチコード多重を施して第２の多重信号を得る多重ステップと、
前記第１の多重信号および前記第２の多重信号を互いに合成して合成信号を得る合成ステップと、
を有するデータ多重方法。
【発明の詳細な説明】
【技術分野】
【０００１】
本発明は、拡散されたデータストリームの送受信に用いられる無線通信装置およびデータ多重方法に関する。
【背景技術】
【０００２】
近年、無線による移動体通信においては、音声データ以外に画像データや動画データなど、様々な情報が通信の対象物となっている。これに伴い、無線データ通信の高速化および大容量化が求められている。移動体通信において高速伝送を行う場合、マルチパスによる遅延波の影響が無視できなくなり、周波数選択性フェージングにより受信特性の劣化が発生し得ることが知られている。
【０００３】
周波数選択性フェージング対策技術の一例として、ＯＦＤＭ（Orthogonal Frequency Division Multiplexing）方式が注目されており、中でも、ＣＤＭＡ（Code Division Multiple Access）方式と組み合わせられたＭＣ（Multi Carrier）−ＣＤＭＡ方式（ＯＦＣＤＭ方式とも言う）についての様々な検討が行われている。ＭＣ−ＣＤＭＡ方式には、大別して、時間軸方向の拡散および周波数軸方向の拡散がある（例えば非特許文献１参照）。
【０００４】
周波数方向拡散を用いた無線送信方法では、変調シンボルの拡散により生成される複数のチップが、同一時刻においてそれぞれ異なるサブキャリアに配置される。一方、時間方向拡散を用いた無線送信方法では、複数のチップが、同一周波数において時系列に配置される。
【０００５】
また、ＭＣ−ＣＤＭＡ方式では、それぞれ個別に設定された変調方式やその他の伝送パラメータなどによってチャネルコーデックを受けた複数のデータストリームを、同一フレーム内にコード多重することができる。各データストリームの受信特性は、その変調方式やパラメータの設定によって変動する。例えば、周波数方向拡散を用いた方が良好な受信特性が得られる場合もあれば、時間方向拡散を用いた方が良好な受信特性が得られる場合もある（例えば、非特許文献２参照）。
【非特許文献１】「ＯＦＣＤＭにおける時間軸拡散に関する検討」、信学技報、ＲＣＳ２００１−１７９
【非特許文献２】「２次元拡散を用いるＶＳＦ−ＯＦＣＤＭとその特性」、信学技報、ＲＣＳ２００２−６１
【発明の開示】
【発明が解決しようとする課題】
【０００６】
しかしながら、従来の無線送信方法においては、複数のデータストリームをコード多重する場合、直交性を維持するためには、いずれかのデータストリームの拡散方向を他のデータストリームの拡散方向に合わせる必要がある。具体的には、互いにコード多重される複数のデータストリームの中に、受信特性がより良好となる拡散方向が周波数方向であるものと時間方向であるものとが存在した場合、少なくともいずれかのデータストリームに対しては、受信特性がより良好とならない方向の拡散または二次元拡散（つまり、周波数方向拡散および時間方向拡散の両方）が施される。このため、受信特性がより良好とならない方向の拡散または二次元拡散を施されるデータストリームにとっての所要Ｅｂ／Ｎ０（または所要Ｅｓ／Ｎ０）が大きくなり、受信特性が劣化するという問題があった。
【０００７】
本発明の目的は、データストリーム受信側での受信特性を向上させることができる無線通信装置およびデータ多重方法を提供することである。
【課題を解決するための手段】
【０００８】
本発明の無線通信装置は、第１のデータと第２のデータとを多重する無線通信装置であって、前記第１のデータの変調シンボルを第１の同相成分および第１の直交成分に分離するとともに、前記第２のデータの変調シンボルを第２の同相成分および第２の直交成分に分離する分離手段と、前記第１の同相成分を第３の直交成分に変換するとともに、前記第２の直交成分を第４の同相成分に変換する変換手段と、前記第１の直交成分および前記第３の直交成分に対してマルチコード多重を施して第１の多重信号を得るとともに、前記第２の同相成分および前記第４の同相成分に対してマルチコード多重を施して第２の多重信号を得る多重手段と、前記第１の多重信号および前記第２の多重信号を互いに合成して合成信号を得る合成手段と、を有する構成を採る。
【０００９】
本発明のデータ多重方法は、第１のデータと第２のデータとを多重するデータ多重方法であって、前記第１のデータの変調シンボルを第１の同相成分および第１の直交成分に分離するとともに、前記第２のデータの変調シンボルを第２の同相成分および第２の直交成分に分離する分離ステップと、前記第１の同相成分を第３の直交成分に変換するとともに、前記第２の直交成分を第４の同相成分に変換する変換ステップと、前記第１の直交成分および前記第３の直交成分に対してマルチコード多重を施して第１の多重信号を得るとともに、前記第２の同相成分および前記第４の同相成分に対してマルチコード多重を施して第２の多重信号を得る多重ステップと、前記第１の多重信号および前記第２の多重信号を互いに合成して合成信号を得る合成ステップと、を有するようにした。
【発明の効果】
【００１０】
本発明によれば、データストリーム受信側での受信特性を向上させることができる。
【発明を実施するための最良の形態】
【００１１】
以下、本発明の実施の形態について、図面を用いて詳細に説明する。
【００１２】
（実施の形態１）
図１は、本発明の実施の形態１に係る、ＭＣ−ＣＤＭＡ方式の無線通信装置の構成を示すブロック図である。本実施の形態の無線通信装置１００は、複数のデータストリームを多重して送信する無線送信装置として使用される。なお、本実施の形態では、２つのデータストリームＡ、Ｂを多重する場合を例に挙げて説明するが、多重するデータストリームの数は、３以上であっても良い。
【００１３】
無線通信装置１００は、変調部１０２、１０４、シリアルパラレル変換（Ｓ／Ｐ）部１０６、１０８、ＩＱ分離部１１０、１１２、ＩＱ変換部１１４、拡散部１１６、１１８、多重部１２０、１２２、ＩＱ合成部１２４、制御情報多重部１２６、ＩＦＦＴ（Inverse Fast Fourier Transform）部１２８、ＧＩ（Guard Interval）挿入部１３０、アンテナ１３２、拡散方向決定部１３４、拡散コード生成器１３６、１３８を有する。変調部１０２、Ｓ／Ｐ部１０６およびＩＱ分離部１１０の組み合わせを含む構成は、データストリームＡを個別に処理するために設けられており、変調部１０４、Ｓ／Ｐ部１０８およびＩＱ分離部１１２の組み合わせを含む構成は、データストリームＢを個別に処理するために設けられている。
【００１４】
変調部１０２は、データストリームＡに含まれる各データ信号を変調し同相成分（Ｉｃｈ成分）および直交成分（Ｑｃｈ成分）から成る変調シンボルを生成する。具体的には、変調部１０２は、データストリームＡの送信先との間の伝搬路の状態に応じて選択された変調方式で、データストリームＡを変調する。使用される変調方式としては、例えばＱＰＳＫ（Quadrature Phase Shift Keying）および１６ＱＡＭ（Quadrature Amplitude Modulation）などが挙げられる。変調部１０２は、選択された変調方式に対応するコンスタレーション上にデータをマッピングすることによりデータ変調を行う。
【００１５】
変調部１０４は、データストリームＢに含まれる各データ信号を変調し同相成分（Ｉｃｈ成分）および直交成分（Ｑｃｈ成分）から成る変調シンボルを生成する。具体的には、変調部１０４は、データストリームＢの送信先との間の伝搬路の状態に応じて選択された変調方式で、データストリームＢを変調する。使用される変調方式としては、例えばＱＰＳＫおよび１６ＱＡＭなどが挙げられる。変調部１０４は、選択された変調方式に対応するコンスタレーション上にデータをマッピングすることによりデータ変調を行う。なお、データストリームＢは、データストリームＡとは異なる伝送パラメータでチャネルコーデックを受けるデータストリームである。
【００１６】
Ｓ／Ｐ部１０６は、変調部１０２により生成された各変調シンボルをシリアルパラレル変換する。また、Ｓ／Ｐ部１０８は、変調部１０４により生成された各変調シンボルをシリアルパラレル変換する。
【００１７】
ＩＱ分離部１１０は、Ｓ／Ｐ部１０６によりシリアルパラレル変換された各変調シンボルを、Ｉｃｈ成分およびＱｃｈ成分に分離する。ＩＱ分離部１１０での分離によって得られたＩｃ成分およびＱｃｈ成分は、ＩＱ変換部１１４に出力される。また、ＩＱ分離部１１２は、Ｓ／Ｐ部１０８によってシリアルパラレル変換された各変調シンボルを、Ｉｃｈ成分およびＱｃｈ成分に分離する。ＩＱ分離部１１２での分離によって得られたＩｃｈ成分およびＱｃｈ成分は、ＩＱ変換部１１４に出力される。
【００１８】
拡散方向決定部１３４は、各データストリームＡ、Ｂに対して設定された伝送パラメータや、伝搬路状態を示す情報（伝搬環境情報）に基づいて、各データストリームＡ、Ｂの拡散方向を決定し、その結果を示す制御情報をＩＱ変換部１１４、拡散コード生成器１３６、１３８および制御情報多重部１２６に出力する。
【００１９】
伝送パラメータとしては、送信データにおける変調符号化方式、拡散率およびコード多重数などが例として挙げられる。これは、受信側からのデータ量の要求や、送信側からの送信データ量などに因るものである。例えば、メール受信したいユーザ（つまり、データストリーム受信側）は少ない情報量で十分なので１６ＱＡＭよりも多値数の小さいＱＰＳＫを使う一方、テレビ電話をしたいユーザはたくさんの情報量が必要なのでＱＰＳＫよりも多値数の大きい１６ＱＡＭを使う、などのケースが挙げられる。この伝送パラメータに
基づいて拡散方向設定を行う。例えば、多値数の変化に伴って時間方向拡散または周波数方向拡散の優先度を変更する。具体的には、多値数が所定値以上の変調方式が使用されるときには、時間方向拡散の優先度が上げられ（換言すれば、周波数方向拡散の優先度が下げられ）時間方向拡散が積極的に使用されるような設定が行われる。
【００２０】
また、伝搬路状態を示す情報としては、受信ユーザ毎の伝搬環境情報（遅延スプレッドおよびドップラー周波数など）が例として挙げられる。これは、ユーザのおかれている状況、例えば、無線通信装置１００からの距離、見通環境またはシャドウイング環境、セルエッジ、高速移動環境、などに因るものであり、ユーザからフィードバックされる情報である。この伝搬路状態を示す情報に基づいて拡散方向設定を行う。例えば、遅延スプレッドまたはドップラー周波数の変化に伴って時間方向拡散または周波数方向拡散の優先度を変更する。具体的には、遅延スプレッドが所定値以上の場合には、時間方向拡散よりも周波数方向拡散の方が直交性の崩れが起こりやすくなるので、時間方向拡散の優先度が上げられ（換言すれば、周波数方向拡散の優先度が下げられ）時間方向拡散が積極的に使用されるような設定が行われる。また、ドップラー周波数が所定値以上の場合には、周波数方向拡散よりも時間方向拡散の方が直交性の崩れが起こりやすくなるので、周波数方向拡散の優先度が上げられ（換言すれば、時間方向拡散の優先度が下げられ）周波数方向拡散が積極的に使用されるような設定が行われる。
【００２１】
なお、ユーザからのフィードバック情報が得られていない通信初期の場合やフィードバック情報を受信できなかった場合は、伝搬環境情報を取得することができないが、この場合でも、下り回線の伝送パラメータは決まっているので、拡散方向設定を行うことができる。
【００２２】
ＩＱ変換部１１４は、拡散方向決定部１３４から入力された制御情報に従って、ＩＱ分離部１１０から入力されたＩｃｈ成分およびＱｃｈ成分のうちいずれか一方に対してＩＱ変換を施す。例えば、Ｑｃｈ成分をＩｃｈ成分に変換する場合、入力されたＱｃｈ成分の位相を９０°回転することによってＩｃｈ成分を得る。この場合、ＩＱ分離部１１０から入力されたＩｃｈ成分およびＩＱ変換によって得られたＩｃｈ成分は、拡散部１１６に出力される。
【００２３】
また、ＩＱ変換部１１４は、拡散方向決定部１３４から入力された制御情報に従って、ＩＱ分離部１１２から入力されたＩｃｈ成分およびＱｃｈ成分のうちいずれか一方に対してＩＱ変換を施す。例えば、Ｉｃｈ成分をＱｃｈ成分に変換する場合、入力されたＩｃｈ成分の位相を９０°回転することによってＱｃｈ成分を得る。この場合、ＩＱ分離部１１２から入力されたＱｃｈ成分およびＩＱ変換によって得られたＱｃｈ成分は、拡散部１１８に出力される。
【００２４】
拡散コード生成器１３６は、各Ｉｃｈ成分の拡散に用いられる拡散コードを生成する。拡散コードの周波数方向の拡散率または時間方向の拡散率は、拡散方向決定部１３４から入力される制御情報に従って決定される。具体的には、Ｉｃｈ成分の拡散方向が周波数方向に決定された場合は、周波数方向の拡散率ＳＦＦを有する拡散コードが、各Ｉｃｈ成分に対応付けて生成され、拡散部１１６に出力される。あるいは、Ｉｃｈ成分の拡散方向が時間方向に決定された場合は、時間方向の拡散率ＳＦＴを有する拡散コードが、各Ｉｃｈ成分に対応付けて生成され、拡散部１１６に出力される。使用される拡散率ＳＦＦ、ＳＦＴはいずれも、固定値でも可変値でも良いが、本実施の形態では、説明の簡略化のために固定値とする。
【００２５】
拡散コード生成器１３８は、各Ｑｃｈ成分の拡散に用いられる拡散コードを生成する。拡散コードの周波数方向の拡散率または時間方向の拡散率は、拡散方向決定部１３４から
入力される制御情報に従って決定される。具体的には、Ｑｃｈ成分の拡散方向が周波数方向に決定された場合は、周波数方向の拡散率ＳＦＦを有する拡散コードが、各Ｑｃｈ成分に対応付けて生成され、拡散部１１８に出力される。あるいは、Ｑｃｈ成分の拡散方向が時間方向に決定された場合は、時間方向の拡散率ＳＦＴを有する拡散コードが、各Ｑｃｈ成分に対応付けて生成され、拡散部１１８に出力される。使用される拡散率ＳＦＦ、ＳＦＴはいずれも、固定値でも可変値でも良いが、本実施の形態では、説明の簡略化のために固定値とする。
【００２６】
拡散部１１６は、ＩＱ変換部１１４から入力された各Ｉｃｈ成分を、拡散コード生成器１３６から入力された拡散コードを用いて拡散して、Ｉｃｈ拡散チップを生成する。
【００２７】
また、拡散部１１８は、ＩＱ変換部１１４から入力された各Ｑｃｈ成分を、拡散コード生成器１３８から入力された拡散コードを用いて拡散して、Ｑｃｈ拡散チップを生成する。
【００２８】
多重部１２０は、拡散部１１６によって生成された各Ｉｃｈ拡散チップを互いに多重して、Ｉｃｈ多重信号を生成する。すなわち、拡散コード生成器１３６、拡散部１１６および多重部１２０の組み合わせは、各Ｉｃｈ成分に対してマルチコード多重を施すマルチコード多重部を構成する。
【００２９】
多重部１２２は、拡散部１１８によって生成された各Ｑｃｈ拡散チップを互いに多重して、Ｑｃｈ多重信号を生成する。すなわち、拡散コード生成器１３８、拡散部１１８および多重部１２２の組み合わせは、各Ｑｃｈ成分に対してマルチコード多重を施すマルチコード多重部を構成する。
【００３０】
ＩＱ合成部１２４は、多重部１２０によって生成されたＩｃｈ多重信号および多重部１２２によって生成されたＱｃｈ多重信号を合成して、合成信号を生成する。
【００３１】
制御情報多重部１２６は、ＩＱ合成部１２４によって生成された合成信号に、拡散方向決定部１３４から入力された制御情報を多重して、送信信号を生成する。
【００３２】
ＩＦＦＴ部１２８は、制御情報多重部１２６によって生成された送信信号に対しＩＦＦＴを行う。ＧＩ挿入部１３０は、ＩＦＦＴ後の送信信号の所定位置にＧＩを挿入し、ＧＩ挿入後の送信信号に対して所定の無線処理（Ｄ／Ａ変換、アップコンバートなど）を施してから、アンテナ１３２を介して送信信号を送信する。
【００３３】
次いで、上記構成を有する無線通信装置１００における拡散多重処理動作について、図２および図３を用いて説明する。ここでは、合成信号の各信号成分（つまり、多重後のＩｃｈ成分および多重後のＱｃｈ成分）の拡散方向が各データストリームの変調方式に基づいて決定される場合を例に挙げて説明する。図２は、各データストリームの変調方式と各信号成分に対して個別に設定された拡散方向との対応関係を示す図であり、図３は、無線通信装置１００における拡散多重処理動作を説明するための図である。
【００３４】
なお、この例示においては、拡散方向決定部１３４によって、多重後のＩｃｈ成分の拡散方向が周波数方向に決定され且つ多重後のＱｃｈ成分の拡散方向が時間方向に決定されているものとする。ただし、多重後のＩｃｈ成分の拡散方向および多重後のＱｃｈ成分の拡散方向を、各データストリームの変調方式に基づいて決定する代わりに、各データストリームのデータ量、拡散率、送信先の遅延スプレッドまたは送信先のドップラー周波数に基づいて決定することもできる。
【００３５】
まず、ＩＱ分離部１１０で、データストリームＡに含まれるデータ信号の変調シンボルが、Ｉｃｈ成分（Ｓａ（Ｉ））およびＱｃｈ成分（Ｓａ（Ｑ））に分離される（ＳＴ１０１０）とともに、ＩＱ分離部１１２で、データストリームＢに含まれるデータ信号の変調シンボルが、Ｉｃｈ成分（Ｓｂ（Ｉ））およびＱｃｈ成分（Ｓｂ（Ｑ））に分離される（ＳＴ１０２０）。
【００３６】
ここで、データストリームＡに含まれるデータ信号の変調シンボルの変調方式がＱＰＳＫで、データストリームＢに含まれるデータ信号の変調シンボルの変調方式が１６ＱＡＭであるとする。この場合、図２に示すように、拡散方向決定部１３４では、多重後のＩｃｈ成分の拡散方向は周波数方向に決定され、多重後のＱｃｈ成分の拡散方向は時間方向に決定される。
【００３７】
よって、Ｓａ（Ｉ）は、ＩＱ変換部１１４でのＩＱ変換の対象とならず、そのまま拡散部１１６に出力される（ＳＴ１０３０）。一方、Ｓａ（Ｑ）は、ＩＱ変換部１１４でのＩＱ変換の対象となり、位相回転によってＩｃｈ成分（Ｓａ（Ｑ）’）に変換され、Ｓａ（Ｑ）’は拡散部１１６に出力される（ＳＴ１０４０）。
【００３８】
また、Ｓｂ（Ｉ）は、ＩＱ変換部１１４でのＩＱ変換の対象となり、位相回転によってＱｃｈ成分（Ｓｂ（Ｉ）’）に変換され、Ｓｂ（Ｉ）’は拡散部１１８に出力される（ＳＴ１０５０）。一方、Ｓｂ（Ｑ）は、ＩＱ変換部１１４でのＩＱ変換の対処と成らず、そのまま拡散部１１８に出力される（ＳＴ１０６０）。
【００３９】
拡散部１１６では、Ｓａ（Ｉ）が周波数方向に拡散される（ＳＴ１０７０）とともに、Ｓａ（Ｑ）’も周波数方向に拡散される（ＳＴ１０８０）。Ｓａ（Ｉ）の拡散に用いる拡散コードとＳａ（Ｑ）’の拡散に用いる拡散コードは、互いに直交する。
【００４０】
拡散部１１８では、Ｓｂ（Ｉ）’が時間方向に拡散される（ＳＴ１０９０）とともに、Ｓｂ（Ｑ）も時間方向に拡散される（ＳＴ１１００）。Ｓｂ（Ｉ）’の拡散に用いる拡散コードとＳｂ（Ｑ）の拡散に用いる拡散コードは、互いに直交する。
【００４１】
多重部１２０では、周波数方向にそれぞれ拡散されたＳａ（Ｉ）およびＳａ（Ｑ）’が互いに多重され、合成信号の同相成分に相当する多重信号が得られる。一方、多重部１２２では、時間方向にそれぞれ拡散されたＳｂ（Ｉ）’およびＳｂ（Ｑ）が互いに多重され、合成信号の直交成分に相当する多重信号が得られる。各多重信号は、ＩＱ合成部１２４によって合成され、合成信号となる。
【００４２】
このように、本実施の形態によれば、互いに多重する各データデータストリームについて、変調シンボルを同相成分および直交成分に分離し、いずれか一方の成分を変換して他方の成分を得て、変換の対象にならなかった成分と変換によって得られた成分とに対してマルチコード多重を施して多重信号を得る。すなわち、各データストリームの信号成分を同相成分か直交成分のいずれかに偏らせてから、複数データストリームの多重信号（つまり、前述の合成信号）を生成するため、多重後のＩｃｈ成分と多重後のＱｃｈ成分との間に互いに直交の関係を持たせることができる。このため、コード多重する複数のデータストリームにとっての最適な拡散方向が異なった場合に、全てのデータストリームの拡散方向をいずれかのデータストリームにとって最適な拡散方向に合わせる必要をなくすことができ、各データストリームの所要Ｅｂ／Ｎ０（または所要Ｅｓ／Ｎ０）の増大を抑えることができ、データストリーム受信側での受信特性を向上させることができる。
【００４３】
また、本実施の形態によれば、いずれかのデータストリームの信号成分をＩｃｈ成分に偏らせ、他のデータストリームの信号成分をＱｃｈ成分に偏らせる。さらに、そのＩｃｈ
成分を、多重後のＩｃｈ成分に対して個別に設定された拡散方向に拡散するとともに、そのＱｃｈ成分を、多重後のＱｃｈ成分に対して個別に設定された拡散方向に拡散する。このため、各データストリームにとってより良好な受信特性が得られる方向の拡散を実行することができる。
【００４４】
（実施の形態２）
図４は、本発明の実施の形態２に係る無線通信装置の構成を示すブロック図である。なお、本実施の形態で説明する無線通信装置は、実施の形態１で説明した無線通信装置１００と同様の基本的構成を有する。よって、実施の形態１で説明したものと同一の構成要素には同一の参照符号を付し、その詳細な説明を省略する。また、本実施の形態では、実施の形態１と同様に、２つのデータストリームＡ、Ｂを多重する場合を例に挙げて説明するが、多重するデータストリームの数は、３以上であっても良い。
【００４５】
図４の無線通信装置２００は、実施の形態１で説明した拡散方向決定部１３４に代わって、拡散多重方法決定部２０２を有する。
【００４６】
拡散多重方法決定部２０２は、各データストリームＡ、Ｂに対して設定された伝送パラメータや、伝搬路状態を示す情報（伝搬環境情報）に基づいて、各データストリームＡ、Ｂの各々の拡散多重方法、例えば拡散方向およびコード多重数などを決定し、その結果を示す制御情報をＩＱ変換部１１４、拡散コード生成器１３６、１３８および制御情報多重部１２６に出力する。以下、拡散多重方法決定部２０２の拡散多重方法決定動作について、図５、図６、図７および図８を用いて説明する。
【００４７】
図５は、拡散多重方法決定部２０２の拡散多重方法決定動作を説明するためのフロー図である。
【００４８】
まず、伝送パラメータおよび伝搬環境情報を取得する（ＳＴ２０１０）。ここでは、データストリームＡの伝送パラメータとして、変調方式（ＱＰＳＫ）、符号化率（１／２）、拡散率（４）、コード多重数（２）が取得される。また、データストリームＡの送信先の伝搬環境情報として、遅延スプレッド（３００ｎｓ）、ドップラー周波数（１００Ｈｚ）が取得される。また、データストリームＢの伝送パラメータとして、変調方式（１６ＱＡＭ）、符号化率（１／３）、拡散率（４）、コード多重数（１）が取得される。また、データストリームＢの送信先の伝搬環境情報として、遅延スプレッド（３０ｎｓ）、ドップラー周波数（３００Ｈｚ）が取得される。なお、各データストリームのデータ量は、拡散率とコード多重数との積によって特定される。つまり、データストリームＡは、拡散率が「４」の拡散コード２個分に相当するデータ量を有し、データストリームＢは、拡散率が「４」の拡散コード１個分に相当するデータ量を有する。
【００４９】
そして、取得された伝送パラメータおよび伝搬環境情報に基づいて、所要Ｅｂ／Ｎ０特性を選択する（ＳＴ２０２０）。具体的には、拡散多重方法決定部２０２には、複数の所要Ｅｂ／Ｎ０特性が予め格納されている。そして、図６に示すように、各データストリームＡ、Ｂについて、取得された伝送パラメータおよび伝搬環境情報に対応する所要Ｅｂ／Ｎ０特性を、格納されているものの中から選択する。
【００５０】
そして、全ての多重パターンを列挙する。また、多重パターン毎に各データストリームＡ、Ｂの所要Ｅｂ／Ｎ０を推定する（ＳＴ２０３０）。多重パターンの例は、図７および図８に示されている。図７は、各データストリームＡ、Ｂの各信号成分が個別に拡散されない場合の多重パターン（ＩＤ＃１、ＩＤ＃２）の例を示しており、図８は、各データストリームの各信号成分が個別に拡散される場合の多重パターン（ＩＤ＃３〜ＩＤ＃１１）を示している。
【００５１】
そして、各多重パターンについて推定された所要Ｅｂ／Ｎ０から、合計の所要Ｅｂ／Ｎ０が最も小さくなる多重パターンを選択する（ＳＴ２０４０）。あるいは、ユーザからフィードバックされた受信ＳＮＲを参照し、その受信ＳＮＲを満たすことができる多重パターンを選択することが好ましい。ここでは、例えば、ＩＤ＃４の多重パターンが選択される。
【００５２】
このように、本実施の形態によれば、データストリームＡ、Ｂの双方のデータ量に基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂの各信号成分を拡散する。
【００５３】
また、データストリームＡ、Ｂの双方の変調方式に基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂの各信号成分を拡散する。
【００５４】
また、データストリームＡ、Ｂの双方の符号化率に基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂの各信号成分を拡散する。
【００５５】
また、データストリームＡ、Ｂの双方の拡散率に基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂを拡散する。
【００５６】
また、データストリームＡ、Ｂの各送信先の遅延スプレッドに基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂの各信号成分を拡散する。
【００５７】
また、データストリームＡ、Ｂの各送信先のドップラー周波数に基づいて推定される、データストリームＡ、Ｂの双方の所要Ｅｂ／Ｎ０に従って、合成信号のＩｃｈ成分の拡散方向および合成信号のＱｃｈ成分の拡散方向を決定し、決定された方向に従って、各データストリームＡ、Ｂの各信号成分を拡散する。
【００５８】
また、データストリームＡ、Ｂの双方のデータ量に基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各データストリームＡ、Ｂの各信号成分に対してマルチコード多重を施す。
【００５９】
また、データストリームＡ、Ｂの双方の変調方式に基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各データストリームＡ、Ｂの各信号成分に対してマルチコード多重を施す。
【００６０】
また、データストリームＡ、Ｂの双方の符号化率に基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各
データストリームＡ、Ｂの各信号成分に対してマルチコード多重を施す。
【００６１】
また、データストリームＡ、Ｂの双方の拡散率に基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各データストリームＡ、Ｂの各信号成分に対してマルチコード多重を施す。
【００６２】
また、データストリームＡ、Ｂの各送信先の遅延スプレッドに基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各データストリームＡ、Ｂの各信号成分に対してマルチコード多重を施す。
【００６３】
また、データストリームＡ、Ｂの各送信先のドップラー周波数に基づいて推定される、データストリームＡ、Ｂの双方の所要Ｅｂ／Ｎ０に従って、合成信号のＩｃｈ成分のコード多重数および合成信号のＱｃｈ成分のコード多重数を決定し、決定されたコード多重数に従って、各データストリームＡ、Ｂの各信号成分に対してマルチコード多重を施す。
【００６４】
したがって、互いに多重する複数のデータストリームの相互関係に基づいて最適な拡散多重方法を導出することができる。
【００６５】
なお、本実施の形態では、受信品質の指標として所要Ｅｂ／Ｎ０を用いた場合を例に挙げて説明したが、所要Ｅｂ／Ｎ０の代わりに所要Ｅｓ／Ｎ０でも良いし、ＳＮＲ（Signal
to Noise Ratio）でも良い。
【００６６】
（実施の形態３）
図９は、本発明の実施の形態３に係る無線通信装置の構成を示すブロック図である。実施の形態１、２では、複数のデータストリームを多重して送信する無線送信装置として使用される無線通信装置１００、２００について説明したが、本実施の形態では、無線通信装置１００または無線通信装置２００から送信された信号の中のデータストリームＡを受信する無線受信装置として使用される無線通信装置について説明する。
【００６７】
図９の無線通信装置３００は、アンテナ３０２、ＧＩ除去部３０４、ＦＦＴ（Fast Fourier Transform）部３０６、チャネル推定部３０８、制御情報取り出し部３１０、ＩＱ分離部３１２、多重分離部３１４、３１６、逆拡散部３１８、３２０、ＩＱ変換部３２２、ＩＱ合成部３２４、パラレルシリアル変換（Ｐ／Ｓ）部３２６、復調部３２８、逆拡散方向方法決定部３３０および逆拡散コード生成器３３２、３３４を有する。
【００６８】
ＧＩ除去部３０４は、無線通信装置１００（または無線通信装置２００）の送信信号をアンテナ３０２を介して受信し、受信信号に対して所定の無線処理（ダウンコンバート、Ａ／Ｄ変換など）を施し、無線処理後の受信信号の所定位置に挿入されているＧＩを除去する。ＦＦＴ部３０６は、ＧＩ除去後の受信信号に対してＦＦＴを行う。チャネル推定部３０８は、ＦＦＴ後の受信信号を用いてチャネル推定を行い、ＦＦＴ後の受信信号に対してサブキャリア（トーン（Tone）と表されることがある）毎の重み付けを施す。
【００６９】
制御情報取り出し部３１０は、ＦＦＴ後の（本実施の形態では、ＦＦＴおよび重み付け後の）受信信号から制御情報を取り出す。受信信号から取り出された制御情報は、逆拡散方向方法決定部３３０に出力される。
【００７０】
抽出手段としてのＩＱ分離部３１２は、制御情報取り出し後の受信信号を分離して、多重されたＩｃｈ拡散チップから成るＩｃｈ多重信号または多重されたＱｃｈ拡散チップか
ら成るＱｃｈ多重信号を抽出する。Ｉｃｈ多重信号は多重分離部３１４に、Ｑｃｈ多重信号は多重分離部３１６に、それぞれ出力される。
【００７１】
逆拡散方向方法決定部３３０は、制御情報取り出し部３１０から入力された制御情報に示された拡散方向または拡散多重方法を、逆拡散方向または逆拡散方法（つまり、逆拡散方向および多重分離方法）として決定して、多重分離部３１４、３１６、逆拡散コード生成器３３２、３３４およびＩＱ変換部３２２に通知する。
【００７２】
多重分離部３１４は、逆拡散方向方法決定部３３０から通知された逆拡散方向または逆拡散方法に従って、Ｉｃｈ他受信号に対して多重分離を施す。多重分離においては、例えば、データストリームＡの信号成分がＩｃｈ成分に偏った状態で２コード多重されている場合は、Ｉｃｈ多重信号が２つにコピーされる。また、例えば、データストリームＡの信号成分がＩｃｈ成分に偏った状態で４コード多重されている場合は、Ｉｃｈ多重信号が４つにコピーされる。また、例えば、データストリームＡの信号成分がＱｃｈ成分に偏った状態で多重されている場合は、Ｉｃｈ多重信号のコピーは実行されない。多重分離を施されたＩｃｈ多重信号は逆拡散部３１８に出力される。
【００７３】
多重分離部３１６は、逆拡散方向方法決定部３３０から通知された逆拡散方向または逆拡散方法に従って、Ｑｃｈ多重信号に対して多重分離を施す。多重分離においては、例えば、データストリームＡの信号成分がＱｃｈ成分に偏った状態で２コード多重されている場合は、Ｑｃｈ多重信号が２つにコピーされる。また、例えば、データストリームＡの信号成分がＱｃｈ成分に偏った状態で４コード多重されている場合は、Ｑｃｈ多重信号が４つにコピーされる。また、例えば、データストリームＡの信号成分がＩｃｈ成分に偏った状態で多重されている場合は、Ｑｃｈ多重信号のコピーは実行されない。多重分離を施されたＱｃｈ多重信号は逆拡散部３２０に出力される。
【００７４】
逆拡散コード生成器３３２は、逆拡散方向方法決定部３３０から通知された逆拡散方向または逆拡散方法に従って、Ｉｃｈ多重信号を構成する各Ｉｃｈ拡散チップの拡散コードを生成する。生成された各拡散コードは、逆拡散部３１８に出力される。また、逆拡散コード生成器３３４は、逆拡散方向方法決定部３３０から通知された逆拡散方向または逆拡散方法に従って、Ｑｃｈ多重信号を構成する各Ｑｃｈ拡散チップの拡散コードを生成する。生成された各拡散コードは、逆拡散部３２０に出力される。
【００７５】
逆拡散部３１８は、多重分離部３１４で多重分離を施されたＩｃｈ多重信号を、逆拡散コード生成器３３２から入力された拡散コードを用いて逆拡散する。例えば、データストリームＡの信号成分がＩｃｈ成分に偏った状態で２コード多重されている場合は、２つのＩｃｈ多重信号の一方を、生成された２つの拡散コードの一方で逆拡散し、他方のＩｃｈ多重信号を、他方の拡散コードで逆拡散する。逆拡散によって得られた各Ｉｃｈ成分は、ＩＱ変換部３２２に出力される。
【００７６】
逆拡散部３２０は、多重分離部３１６で多重分離を施されたＱｃｈ多重信号を、逆拡散コード生成器３３４から入力された拡散コードを用いて逆拡散する。例えば、データストリームＡの信号成分がＱｃｈ成分に偏った状態で２コード多重されている場合は、２つのＱｃｈ多重信号の一方を、生成された２つの拡散コードの一方で逆拡散し、他方のＱｃｈ多重信号を、他方の拡散コードで逆拡散する。逆拡散によって得られた各Ｑｃｈ成分は、ＩＱ変換部３２２に出力される。
【００７７】
ＩＱ変換部３２２は、逆拡散方向方法決定部３３０から通知された逆拡散方向または逆拡散方法に従って、逆拡散部３１８から入力された各Ｉｃｈ成分または逆拡散部３２０から入力された各Ｑｃｈ成分に対してＩＱ変換を施す。例えば、無線通信装置１００（また
は無線通信装置２００）でデータストリームＡの信号成分のうちＱｃｈ成分がＩｃｈ成分に変換されていた場合、ＩＱ変換部３２２は、逆拡散部３１８から入力されたＩｃｈ成分のうちＱｃｈ成分から変換されていたＩｃｈ成分を、Ｑｃｈ成分に変換する。この変換は、例えば、Ｉｃｈ成分の位相を−９０°回転することによって実現される。また、無線通信装置１００（または無線通信装置２００）でデータストリームＡの信号成分のうちＩｃｈ成分がＱｃｈ成分に変換されていた場合、ＩＱ変換部３２２は、逆拡散部３２０から入力されたＱｃｈ成分のうちＩｃｈ成分から変換されていたＱｃｈ成分を、Ｉｃｈ成分に変換する。この変換は、例えば、Ｑｃｈ成分の位相を−９０°回転することによって実現される。各Ｉｃｈ成分および各Ｑｃｈ成分はＩＱ合成部３２４に出力される。
【００７８】
ＩＱ合成部３２４は、ＩＱ変換部３２２から出力されたＩｃｈ成分およびＱｃｈ成分を合成して、変調シンボルを生成する。具体的には、無線通信装置１００（または無線通信装置２００）の変調部１０２によって生成された各変調シンボルを構成していたＩｃｈ成分およびＱｃｈ成分の組み合わせが抽出され、抽出された組み合わせ毎にＩＱ合成を行う。この合成によって生成された変調シンボルは、Ｐ／Ｓ部３２６に出力される。
【００７９】
Ｐ／Ｓ部３２６は、ＩＱ合成部３２４によって生成された変調シンボルをパラレルシリアル変換する。復調部３２８は、パラレルシリアル変換された変調シンボルからデータストリームＡを復調する。
【００８０】
このように、本実施の形態によれば、無線通信装置１００、２００から送信された合成信号、つまり、多重後のＩｃｈと多重後のＱｃｈとが互いに直交するように多重されたデータストリームＡ、ＢのうちデータストリームＡを正しく受信することができる。
【００８１】
以上、本発明の各実施の形態について説明した。
【００８２】
本発明に係る無線通信装置およびデータ多重方法は、上記の実施の形態１〜３に限定されず、種々変更して実施することが可能である。例えば、各実施の形態は、適宜組み合わせて実施することが可能である。
【００８３】
また、上記各実施の形態では、本発明をハードウェアで構成する場合を例にとって説明したが、本発明はソフトウェアで実現することも可能である。
【００８４】
なお、上記各実施の形態の説明に用いた各機能ブロックは、典型的には集積回路であるＬＳＩとして実現される。これらは個別に１チップ化されても良いし、一部又は全てを含むように１チップ化されても良い。
【００８５】
ここでは、ＬＳＩとしたが、集積度の違いにより、ＩＣ、システムＬＳＩ、スーパーＬＳＩ、ウルトラＬＳＩと呼称されることもある。
【００８６】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００８７】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００８８】
本明細書は、２００４年１２月３日出願の特願２００４−３５１０９２に基づく。この
内容はすべてここに含めておく。
【産業上の利用可能性】
【００８９】
本発明の無線通信装置およびデータ多重方法は、拡散されたデータストリームを送受信する基地局装置や移動局装置などに適用することができる。
【図面の簡単な説明】
【００９０】
【図１】本発明の実施の形態１に係る無線通信装置の構成を示すブロック図
【図２】本発明の実施の形態１に係る各データストリームの変調方式と各信号成分に対して個別に設定された拡散方向との対応関係を示す図
【図３】本発明の実施の形態１に係る無線通信装置における拡散多重処理動作を説明するための図
【図４】本発明の実施の形態２に係る無線通信装置の構成を示すブロック図
【図５】本発明の実施の形態２に係る拡散多重方法決定部における動作を説明するためのフロー図
【図６】本発明の実施の形態２に係る所要Ｅｂ／Ｎ０特性の選択を説明するための図
【図７】本発明の実施の形態２に係る各データストリームの各信号成分が個別に拡散されない場合の多重パターンを示す図
【図８】本発明の実施の形態２に係る各データストリームの各信号成分が個別に拡散される場合の多重パターンを示す図
【図９】本発明の実施の形態３に係る無線通信装置の構成を示すブロック図
【図１】
0004571152.tif 000002
【図２】
0004571152.tif 000003
【図３】
0004571152.tif 000004
【図４】
0004571152.tif 000005
【図５】
0004571152.tif 000006
【図６】
0004571152.tif 000007
【図７】
0004571152.tif 000008
【図８】
0004571152.tif 000009
【図９】
0004571152.tif 000010